(57)【要約】【課題】本発明は、レーザ照射用針チップにおいて、治療行為における無理な操作においてもレーザ照射針が損傷を受けにくい強固な針チップを提供する。【解決手段】本発明のレーザ照射用針チップは、レーザ照射針と前記レーザ照射針を取付ける基台との間にあって前記レーザ照射針の外周に位置する外部応力集中吸収部または空間部または緩衝部材を設けて前記レーザ照射針を前記基台に取付けたもので、外部応力を受ける支点を複数化または連続にすることにより外部応力の分散化を図り、レーザ照射針の基台への取付け根本への応力集中を吸収し、破損事故を軽減できる。  【選択図】図１
2005080760.tif 000002
【特許請求の範囲】
【請求項１】
レーザ照射針と、前記レーザ照射針を取付ける基台とを備え、前記基台と前記レーザ照射針との間にあって前記レーザ照射針の外周に位置する外部応力集中吸収部を設けて前記レーザ照射針を前記基台に取付けてなるレーザ照射用針チップ。
【請求項２】
レーザ照射針と、前記レーザ照射針を取付ける基台とを備え、前記基台と前記レーザ照射針との間にあって前記レーザ照射針の外周に位置する空間部を設けて前記レーザ照射針を前記基台に取付けてなるレーザ照射用針チップ。
【請求項３】
外部応力集中吸収部または空間部は、レーザ照射針が取付けられる基台にテーパー加工部を設けて形成してなる請求項１または請求項２記載のレーザ照射用針チップ。
【請求項４】
外部応力集中吸収部または空間部は、レーザ照射針が取付けられる基台にＲ加工部を設けて形成してなる請求項１または請求項２記載のレーザ照射用針チップ。
【請求項５】
レーザ照射針と、前記レーザ照射針を取付ける基台と、前記基台と前記レーザ照射針との間にあって前記レーザ照射針の外周に位置する緩衝部材とを備え、前記レーザ照射針を、前記緩衝部材を介して前記基台に取付けてなるレーザ照射用針チップ。
【請求項６】
緩衝部材はシリコンゴムからなる請求項５記載のレーザ照射用針チップ。
【発明の詳細な説明】
【技術分野】
【０００１】
本発明は、レーザ照射で治療、手術等を行う装置のレーザ照射用針チップに関するものである。
【背景技術】
【０００２】
従来、医療用のレーザ装置は、レーザメスチップの先端にある光ファイバーからレーザ照射が行われる（例えば特許文献１参照）。このようなレーザ照射を行う針チップは図６に示す通り、レーザ照射針６０を取り付ける基台６１に直接、レーザ照射針６０が固定される形態になっていた。
【０００３】
しかしながら、上記構造における針チップにおいては、狭い口腔内の照射作業において、無理な操作によりレーザ照射針６０に外部応力６２が加えられた場合、外部応力６２はレーザ照射針６０が基台６１から飛び出した部位６３（以下根本と称す）の一点に集中する。この外部応力６２の一点集中によりレーザ照射針６０の根本６３が構造的ダメージを受け、例えば中心線Ｐに対し点線で示すように折れ曲がり比較的弱い外部応力でも破損するという問題をかかえていた。
【特許文献１】特開平１１−３１３８３６号公報
【発明の開示】
【発明が解決しようとする課題】
【０００４】
上記背景技術の問題点に鑑み、本発明が解決しようとする課題は、レーザ照射針に外部応力が加えられた場合でも、これを吸収し簡単にはレーザ照射針が破損しないレーザ照射用針チップを提供することにある。
【課題を解決するための手段】
【０００５】
上記目的を達成するために、本発明のレーザ照射用針チップは、レーザ照射針と前記レーザ照射針を取付ける基台との間にあって前記レーザ照射針の外周に位置する外部応力集中吸収部または空間部または緩衝部材を設けて前記レーザ照射針を前記基台に取付けたもので、外部応力を受ける支点を複数化または連続にすることにより外部応力の分散化を図り、レーザ照射針の基台への取付け根本への応力集中を吸収し、破損事故を軽減できる。
【０００６】
また本発明は、外部応力集中吸収部または空間部の基台側形状を、テーパー加工部またはＲ加工部に形成し、または空間部に緩衝部材を設けることにより、外部応力の分散効率の向上を図ることができ、レーザ照射針の破損事故を一層軽減できる。
【発明の効果】
【０００７】
以上のように本発明のレーザ照射用針チップは、従来の針チップでは実現できなかった無理な操作によるレーザ照射針の破損事故を大幅に軽減することができる。
【発明を実施するための最良の形態】
【０００８】
以下本発明のレーザ照射用針チップを実施する最良の形態につき、図面を参照して説明する。なお、各実施の形態の図において同一構成並びに作用効果を奏するところには同一符号を付与して詳細な説明を重複して行わないこととする。
【０００９】
（実施の形態１）
図１は、本発明の実施の形態１におけるレーザ照射用針チップの構成図、図２は、同レーザ照射用針チップが外部応力を受けたときの模式図である。図１において、１は本発明のレーザ照射用針チップの本体部を構成する基台である。２は、基台１に取付けて固定し、生体の患部へレーザを導光するレーザ照射針で、レーザ装置（図示せず）より発射された入射レーザ４が、レーザ装置に接続された基台１に入り、レーザ照射針２から出射レーザ５として放射される。
【００１０】
３は、基台１とレーザ照射針２との間にあって、レーザ照射針２の外周に位置して設けた外部応力集中吸収部としての空間部である。この空間部３は、例えば、狭い口腔内のレーザ照射作業において、無理な操作によりレーザ照射針２に外部応力が加えられた場合、この外部応力がレーザ照射針２の基台１から飛び出した根本の一点に集中するのを防止するため、外部応力を分散化するものであり、例えば基台１へのレーザ照射針２の取付け部分２ａの一部の外周に位置して基台１に筒状の空間を設けたものである。従って、図１に示す形状の空間部３においては応力を受ける支点が２箇所となる。
【００１１】
上記実施の形態において、レーザ照射針２により図２に示すようにレーザ照射作業中にレーザ照射針２へ外部応力６を受けると、レーザ照射針２は空間部３に沿って図２のように中心線Ｐに対して曲がり、空間部３の分だけ穏やかに変形する。すなわち、このレーザ照射針２は、外部応力を受け止める支点が空間部３により、支点Ａ７と支点Ｂ８の２箇所になる。このように空間部３は、外部応力を受け止める複数の支点で分散化することにより、レーザ照射針２の根本が受けるダメージを半減し、レーザ照射針２の外部応力に対する耐力を向上できる。
【００１２】
（実施の形態２）
図３は、本発明の実施の形態２におけるレーザ照射用針チップの要部を示す構成図である。本実施の形態は、図１に示す実施の形態１における空間部３において、空間部３の基台１側の面を外開きに直線加工してテーパー加工部９を設けたもので、従って空間部３の形状はすり鉢状になる。
【００１３】
上記実施の形態おいて、レーザ照射針２によるレーザ照射作業中にレーザ照射針２へ外部応力を受けると、レーザ照射針２は空間部３のテーパー加工部９に略沿って点線で示すように中心線Ｐに対して曲がり、空間部３の分だけ穏やかに変形するとともに、外開きのテーパー加工部９の軸方向面にレーザ照射針２の根元が略沿う形になる。すなわち、このレーザ照射針２は、外開きのテーパー加工部９により、支点７ａで受ける応力によるレーザ照射針２への食い込み角度が緩くなり局所的ダメージが緩和されるとともに、支点８ａによりテーパー加工部９の軸方向面に沿って応力は全体に分散され、レーザ照射針２の外部応力に対する耐力を一層向上できる。
【００１４】
（実施の形態３）
図４は、本発明の実施の形態３におけるレーザ照射用針チップの要部を示す構成図である。本実施の形態は、図１に示す実施の形態１における空間部３において、空間部３の基台１側の面を外開きに曲面加工してＲ加工部１０を設けたもので、従って空間部３の形状は略ラッパ状になる。
【００１５】
上記実施の形態おいて、レーザ照射針２によるレーザ照射作業中にレーザ照射針２へ外部応力を受けると、レーザ照射針２は空間部３のＲ加工部１０に略沿って点線で示すように中心線Ｐに対して曲がり、空間部３の分だけ穏やかに変形するとともに、外開きのＲ加工部１０の軸方向面にレーザ照射針２の根元が略沿う形になる。すなわち、このレーザ照射針２は、外開きのＲ加工部１０により、支点が連続性を持つ面になるため外部応力を大幅に分散させて支えられ、レーザ照射針２の外部応力に対する耐力を一層向上できる。
【００１６】
（実施の形態４）
図５は、本発明の実施の形態４におけるレーザ照射用針チップを示す構成図である。本実施の形態は、図１に示す実施の形態１における空間部３に、空間部３の形状と同じ、弾性を有する軟質の樹脂やシリコンゴムのチューブからなる緩衝部材１１を設けたもので、従って空間部３は緩衝部材１１で閉塞されている。
【００１７】
上記実施の形態おいて、レーザ照射針２によるレーザ照射作業中にレーザ照射針２へ外部応力を受けると、レーザ照射針２は点線で示すように中心線Ｐに対して曲がり、その変位を、緩衝部材１１を通じて緩やかに吸収される。特に、緩衝部材１１は全体が均一な弾性を有するので、レーザ照射針２の変位角度が大きいところほど、それに応じた外部応力の吸収を図ることが可能になり、高精度で外部応力を分散させられ、レーザ照射針２の外部応力に対する耐力を一層向上できる。
【００１８】
なお、上記実施の形態で緩衝部材１１は空間部３を完全に閉塞して設けたが、レーザ照射針２側に隙間に相当する空間を設けても良いものである。
【産業上の利用可能性】
【００１９】
以上のように本発明のレーザ照射用針チップは、無理な操作によるレーザ照射針の破損事故を軽減し、医療用レーザ装置等に使用できる。
【図面の簡単な説明】
【００２０】
【図１】本発明の実施の形態１におけるレーザ照射用針チップを示す構成図
【図２】同実施の形態１におけるレーザ照射用針チップが外部応力を受けたときの模式図
【図３】本発明の実施の形態２におけるレーザ照射用針チップの要部を示す構成図
【図４】本発明の実施の形態３におけるレーザ照射用針チップの要部を示す構成図
【図５】本発明の実施の形態４におけるレーザ照射用針チップの要部を示す構成図
【図６】従来のレーザ照射用針チップの構成図
【符号の説明】
【００２１】
１  基台
２  レーザ照射針
３  空間部（外部応力集中吸収部）
６  外部応力
９  テーパー加工部
１０  Ｒ加工部
１１  緩衝部材
【図１】
2005080760.tif 000003
【図２】
2005080760.tif 000004
【図３】
2005080760.tif 000005
【図４】
2005080760.tif 000006
【図５】
2005080760.tif 000007
【図６】
2005080760.tif 000008